(57)【要約】【課題】　ビデオ信号のルミナンス成分の特定範囲内におけるカラー成分をベクトル表示する。【解決手段】　デマルチプレクサ１２が入力ビデオ信号からルミナンス(Ｙ)成分及びカラー成分（Cr、Cb)を分離する。Cr及びCbにより通常のベクトル表示１４を行う。高ルミナンス・ゲート１６は、Ｙ成分が高ルミナンス範囲のときにCr、Cbを通過させて、高ルミナンス・ベクトル表示２２を行う。中ルミナンス・ゲート１８は、Ｙ成分が中ルミナンス範囲のときにCr、Cbを通過させて、中ルミナンス・ベクトル表示２４を行う。低ルミナンス・ゲート２０は、Ｙ成分が低ルミナンス範囲のときにCr、Cbを通過させて、低ルミナンス・ベクトル表示２６を行う。【選択図】図１
2004056816.tif 000002
【特許請求の範囲】
【請求項１】
　ルミナンス条件付きベクトルを表示する方法であって、
　ビデオ信号のルミナンス成分に対する特定のルミナンス範囲に応じて上記ビデオ信号のカラー成分をゲート制御し、
　このゲート制御ステップを通過した上記カラー成分を上記ルミナンス条件付きベクトル表示として表示する
　ことを特徴とするベクトル表示方法。
【請求項２】
　ルミナンス条件付きベクトルを表示する装置であって、
　ビデオ信号のルミナンス成分に対する特定のルミナンス範囲に応じて上記ビデオ信号のカラー成分をゲート制御するゲート手段と、
　該ゲート手段を通過した上記カラー成分を上記ルミナンス条件付きベクトル表示として表示する表示手段と
　を具えたベクトル表示装置。
【請求項３】
　ルミナンス条件付きベクトルを表示する装置であって、
　ビデオ信号のカラー成分を入力信号として受け、上記ビデオ信号のルミナンス成分が特定のルミナンス範囲内の場合に上記カラー成分を出力信号として発生するルミナンス・ゲートと、
　該ルミナンス・ゲートの出力端に結合され、上記ルミナンス・ゲートからの上記カラー成分を上記ルミナンス条件付きベクトル表示として表示する表示器と
　を具えたベクトル表示装置。
【発明の詳細な説明】
【技術分野】
【０００１】
　本発明は、一般に、ビデオ測定の表示に関し、特に、ビデオ信号のルミナンス条件付きベクトル表示に関するものである。
【背景技術】
【０００２】
　ビデオ信号のベクトル表示は、ビデオ信号のカラー成分（即ち、Ｒ−Ｙ、Ｂ−Ｙ）を２次元のＸ−Ｙ平面上に表す。典型的には、このベクトル表示を用いて、例えば、標準カラー・バー信号により、カメラや他のビデオ信号源を設定している。このベクトル表示は、ブラック（黒）及びホワイト（白）の両方の成分を表示スクリーンの中心に示しており、ルミナンス（Ｙ）情報がないので、カラー空間を不完全に表示していた。よって、暗い中のカラーであっても、明るい光の中のカラーであっても、これらカラーは、ベクトル表示上で同じに表示された。
【０００３】
　カラー空間を表示する他の表示法は、本願出願人のテクトロニクスが提案した「ライトニング」表示（例えば、特許文献１を参照）や、「ダイアモンド」表示（例えば、特許文献２を参照）がある。これら表示は、カラー及びルミナンスの両方を示すが、市場ではあまり受け入れられていなかった。また、ダヴィンチ・システムズ（DaVinci Systems）社によるカラー補正器の如き多くのカラー補正器は、トラック・ボールを具えており、このトラック・ボールにより、ベクトル表示上で見えるのと同じ方向にカラーを移動させている。
【特許文献１】米国特許第４６３５０９４号（日本特許第１８０８４３８号に対応）公報
【特許文献２】米国特許第５３０７０８７号（日本特許第２９２９０６３号に対応）公報
【発明の開示】
【発明が解決しようとする課題】
【０００４】
　ブラック・エラーを分離したり、ホワイトにおけるアンバランスを観察するために、ルミナンス情報を考慮した改良ベクトル表示が望まれている。
【課題を解決するための手段】
【０００５】
　本発明は、ルミナンス条件付きベクトルを表示する方法であって；ビデオ信号のルミナンス成分に対する特定のルミナンス範囲に応じてビデオ信号のカラー成分をゲート制御し（即ち、カラー成分の通過／非通過を制御し）；このゲート制御ステップを通過したカラー成分をルミナンス条件付きベクトル表示として表示することを特徴とする。
　また、本発明は、ルミナンス条件付きベクトルを表示する装置であって；ビデオ信号のルミナンス成分に対する特定のルミナンス範囲に応じてビデオ信号のカラー成分をゲート制御（即ち、カラー成分の通過／非通過を制御）するゲート手段と；このゲート手段を通過したカラー成分をルミナンス条件付きベクトル表示として表示する表示手段とを具えている。
　さらに、本発明は、ルミナンス条件付きベクトルを表示する装置であって；ビデオ信号のカラー成分を入力信号として受け、ビデオ信号のルミナンス成分が特定のルミナンス範囲内の場合にカラー成分を出力信号として発生するルミナンス・ゲートと；このルミナンス・ゲートの出力端に結合され、ルミナンス・ゲートからのカラー成分をルミナンス条件付きベクトル表示として表示する表示器とを具えている。
【発明の効果】
【０００６】
　本発明によれば、ビデオ信号のルミナンス成分の特定範囲内のカラー成分のベクトルを表示できる。よって、ビデオ信号のカラー成分のベクトル表示であっても、ルミナンス成分の範囲を考慮して、ビデオ信号を測定できる。
【発明を実施するための最良の形態】
【０００７】
　上述のように本発明は、ルミナンス条件付きベクトル（特定のルミナンス範囲内であるという条件の付いたベクトル）を表示する方法及び装置を提供するものであり、特定のルミナンス範囲により、ベクトル表示をゲート制御する、即ち、特定のルミナンス範囲に対して、ビデオ信号がゲートを通過して、ベクトル表示を行う。本発明の一形態においては、３個のルミナンス・ゲートを用いてもよい。ここで、第１ルミナンス・ゲートは、特定の高ルミナンスしきい値よりも上のルミナンス・レベル用であり、第２ルミナンス・ゲートは、特定の低ルミナンスしきい値よりも下のルミナンス・レベル用であり、第３ルミナンス・ゲートは、これら特定の高ルミナンスしきい値及び低ルミナンスしきい値の間のルミナンス・レベル用である。また、中間のルミナンス範囲用のルミナンスしきい値は、高ルミナンス範囲及び低ルミナンス範囲の各々と重なるように別個に調整してもよい。ルミナンス条件付きベクトル表示の各々を独立した表示にしてもよいし、各ルミナンス範囲に対して異なるカラーを用いて、これらベクトルを重ねてた表示にしてもよい。また、ルミナンス条件付きベクトル表示の各々を、通常のベクトル表示であるルミナンス条件のないベクトル表示と共に、表示器又は表示ウィンドウの異なる象限（表示スクリーン又は表示ウィンドウの表示領域を分割した各領域）で表示してもよい。
【０００８】
　本発明の目的、利点及び新規な特徴は、添付図を参照した以下の説明から更に理解できよう。
【実施例】
【０００９】
　以下に説明する標準のベクトル表示を変更することにより、ユーザは、ルミナンスの所定範囲内で、ビデオ信号のベクトル表示のみを行うことができるし、ビデオ信号の部分のベクトル表示を行うこともできる。例えば、ブラッグ・エラーを分離するために、低ルミナンスのカラー成分のみを表示したり、ホワイトのアンバランスを観察するために、高ルミナンスのカラー成分のみを表示するようにできる。
【００１０】
　図１は、本発明によるルミナンス条件付きベクトル表示装置の一実施例の簡略化されたブロック図である。従来のベクトル表示装置と同様に、コンポーネント・カラー用デマルチプレクサ（信号成分抽出手段）１２により、ルミナンス成分（Ｙ）及び直交カラー成分を有する入力カラー・ビデオ信号からカラー成分を抽出する。この内カラー成分を用いて、表示器又はウィンドウのＸ軸及びＹ軸を駆動して、通常のベクトル表示１４を行う。本発明では、従来のベクトル表示装置を変更して、１個以上のルミナンス・ゲート（ゲート手段）１６、１８、２０を設け、ビデオ信号内のルミナンス成分のレベルに応じて、表示器又はウィンドウ用にカラー成分を通過させたり、この通過を禁止したりする。本実施例では、図示の如く、３個の異なるルミナンス・ゲート１６、１８、２０が存在し、これらルミナンス・ゲートがルミナンス・レベルの３個の異なる範囲に応答する。隣接したルミナンス範囲の間には、重なり合う部分があってもよい。
【００１１】
　高ルミナンス・ゲート１６は、ルミナンス成分（Ｙ）及び２つのカラー成分（Ｒ−Ｙ、Ｂ−Ｙ又はＣｒ、Ｃｂ）を受け、ルミナンス成分が特定の高ルミナンスしきい値レベル、例えば、７００ｍＶの公称ホワイト・レベルの８０％を超した際に、高ルミナンス・ベクトル表示２２用の表示器又はウィンドウにカラー成分を通過させる。同様に、低ルミナンス・ゲート２０は、ルミナンス成分及びカラー成分を受け、ルミナンス成分が特定の低ルミナンスしきい値レベル、例えば、公称ホワイト・レベルの２０％未満の際に、低ルミナンス・ベクトル表示２６用の表示器又はウィンドウにカラー成分を通過させる。中ルミナンス・ゲート１８もルミナンス成分及びカラー成分を受け、ルミナンス成分が特定の低ルミナンスしきい値レベルよりも大きく、且つ所定の高ルミナンスしきい値レベル未満の際に、中ルミナンス・ベクトル表示２４用の表示器又はウィンドウにカラー成分を通過させる。（ルミナンス成分が特定の低ルミナンスしきい値レベル及び高ルミナンスしきい値レベルに等しい際に、ルミナンス・ゲート１６、１８、２０のどれがカラー成分を通過させるかは、設計事項である。）また、この代わりに、中ルミナンス・ゲート１８に供給される２つのルミナンスしきい値レベルの一方は、特定の低ルミナンスしきい値レベルよりも低くてもよいし、他方のルミナンスしきい値レベルは、特定の高しきい値レベルよりも高くてもよい。かかる設定により、中ルミナンス・ゲート１８を通過するレベルと、高ルミナンス・ゲート１６を通過するレベルとの間が重なるし、中ルミナンス・ゲート１８を通過するレベルと、低ルミナンス・ゲート２０を通過するレベルとの間が重なるようにできる。これらしきい値レベルの総ては、望むならば、ユーザが制御可能となるように、生産者が設定したレベルではなく可変でもよい。なお、表示１４、２２、２４、２６は、夫々を単独の表示器に表示したものでもよいし、表示器に表示される複数のウィンドウの各々に表示したものであってもよい。
【００１２】
　表示器又はウィンドウは、ルミナンス・ゲート１６、１８、２０からの出力信号により、ベクトル表示２２、２４、２６の１個を行うことができる。すなわち、この場合、ベクトル表示を発生するルミナンス・ゲートのみによる表示が行われ、重なり合わない。また、異なるルミナンス・ゲート１６、１８、２０からの出力信号によるベクトル表示２２、２４、２６を表示器又はウィンドウ上に異なる色によって、異なるベクトル表示として、又は３個のベクトル表示の総てが重なり合った表示として、表示を行ってもよい。
【００１３】
　図２は、本発明によるルミナンス条件付きベクトル表示装置の他の実施例の簡略されたブロック図である。図１と同じ素子は、同じ参照符号で示す。例えば、かかる図２に示すように、デマルチプレクサ１２からのルミナンス値をルミナンス対カラー・マップ手段２８に入力してもよい。このルミナンス対カラー・マップ手段２８は、ルミナンス成分とカラー成分との関係から、ベクトル表示１４用のカラー制御信号を発生するルックアップ・テーブルの形式でもよい。このルミナンス対カラー・マップ手段２８によれば、ルミナンス値が特定の低しきい値レベルより低いとき、ベクトル表示を制御して、第１の色でベクトルを表示する。また、ルミナンス値が特定の高しきい値レベルよりも高いとき、ベクトル表示を制御して第２の色でベクトルを表示する。さらに、そうでないとき、即ち、ルミナンス値が低しきい値レベル及び高しきい値レベルの間のとき、ベクトル表示を制御して、第３の色でベクトルを表示する。この場合、ルミナンス対カラー・マップ手段２８及びベクトル表示１４用の表示器との組合せが、ゲート手段や、ルミナンス・ゲートとして作用する。
【００１４】
　上述の代わりに、ルミナンス・ゲート１６、１８、２０の総てによるベクトル表示２２、２４、２６は、ルミナンス条件のない通常のベクトル表示１４と共に、表示器又は表示ウィンドウの異なる象限に同時に表示してもよい。
【００１５】
　図３は、本発明によるルミナンス条件付きベクトル表示装置の更に他の実施例の簡略されたブロック図である。３個のルミナンス・ゲート１６、１８、２０を設ける代わりに、かかる図３に示すように、単一のプログラマブル・ルミナンス・ゲート（ゲート手段）３０を用いてもよい。このプログラマブル・ルミナンス・ゲート３０は、ユーザ入力により制御されて、高、中又は低のどのルミナンス条件付きカラー・ベクトルがベクトル表示１４として表示されるか、又は、総てのカラー・ベクトル（ルミナンス条件のないカラー・ベクトル）が表示されるかを決定する。
【００１６】
　図４は、本発明によるルミナンス条件付きベクトル表示装置の別の実施例の簡略されたブロック図である。この図４に示すように、ルミナンス条件付きベクトル表示は、従来のアナログ描画ＣＲＴ（陰極線管）表示器上でも行える。この場合、「Ｚ軸」の輝度制御をルミナンス「ゲート」として用い、ビデオ信号のルミナンス成分が所望範囲内でないときに、ベクトル表示２２、２４、２６をブランキングする。この実施例において、ルミナンス成分（Ｙ）は、ルミナンス・レンジ検出器３２に入力し、ユーザ入力によりルミナンス範囲が、高か、中か、低か、又は総て（ルミナンス条件のないカラー・ベクトル）かを判断し、ＣＲＴ表示器のブランキングを制御する。すなわち、レンジ検出器３２及び表示器が、ルミナンス・ゲート（ゲート手段）の機能を果たす。
【００１７】
　ユーザ・インタフェースは、ルミナンス条件付きベクトル表示用の表示器を制御するために、ソフトウェア又はハードウェアのいずれかのいくつかのボタンを具えてもよい。１つの表示のためだけのベクトル表示１４に空きがある場合、カラー補正器で見られるように、いくつかのボタンにより、ユーザは、低、中及び高のレベル・ルミナンスの間で選択を行えるし、又は、カメラを設定するのに用いる制御と一致させることができる。他のボタンにより、ユーザは、低及び高のルミナンスしきい値レベルを調整できるし、ルミナンス条件のない従来のベクトル表示１４を選択することもできる。表示器又はウィンドウ上の表示は、単一のベクトル表示でもよいし、上述の如きマルチ（多数の）ベクトル表示でもよい。このマルチ・ベクトル表示は、カラー補正器の制御に正確に対応し、この時間のかかる処理の効率を改善する。典型的なユーザには、テレシネのカラリスト（色彩研究家）や、カメラ・シェーディングを処理する人々である。
【００１８】
　図５は、本発明により分析する画像の平面図である。この画像は、左端のホワイトから開始し、順次グレイにシェーディングし、右端のブラックに変化する。この画像は、赤（Ｒ）成分、緑（Ｇ）成分及び青（Ｂ）成分で構成されている。これら成分の各々は、図６Ａに示すように、ビデオの各ラインにおいて、フル・ルミナンスで開始し、傾斜状態でゼロに下がる。なお、図６は、図５の画像の（理想化された）カラー成分のパレード波形表示Ａ及び対応するベクトル表示Ｂの図である。これら寄与するカラーは、各時点において、その振幅が他の寄与カラーの振幅と正確に同じでなければならない。そうでなければ、アンバランスが生じて、画像のグレーがいくつかの他の色相の部分を占める。理想的なコンポーネント（成分）信号は、互いに完全に一致しているので、図６Ｂに示すように、ベクトル図は、単一の点のみとなる点に留意されたい。
【００１９】
　図７は、図５の画像のアンバランスのあるカラー成分のパレード波形表示Ａ及び対応するベクトル表示Ｂの図である。図７Ａに示すように、コンポーネント信号のグループは、理想的でない状態で示されている。赤成分は、左側で傾斜が変化しており、青成分は、右側で傾斜が変化している。図７Ｂは、対応するベクトル図の表示を示しており、青及び赤の方向に小さな変位がある。しかし、このベクトル表示にて判る範囲では、これら変位が生じる対応ルミナンス範囲が示されない。図８は、図５の画像のアンバランスのあるカラー成分のパレード波形表示Ａと、本発明によるマルチ・ベクトル表示Ｂ〜Ｄの図である。上述の如く、また図８Ａに示すように、振幅範囲を多数のサブレンジ（副範囲）に分割することにより、図８のＢ、Ｃ及びＤに示すように、１個のサブレンジのデータのみが多数のベクトル図の各々に表示され、個別のエラーを分離することが可能となる。なお、図８Ｂは、低ルミナンス範囲のベクトル表示であり、図８Ｃは、中ルミナンス範囲のベクトル表示であり、図８Ｄは、高ルミナンス範囲のベクトル表示である。この例において、３個のベクトル図は、赤のエラーがルミナンスの高レベルで生じ、青のエラーが影、即ち、ルミナンスの低レベルで生じたことを示している。
【００２０】
　よって、本発明は、特定のルミナンス範囲、例えば、高、中及び低ルミナンス範囲に応じてベクトル表示をゲート制御し、ゲート制御した結果を分離して又は同時に表示することにより、ルミナンス条件付きベクトル表示を行うことができる。なお、表示の際には、ルミナンス条件のない通常のベクトルも一緒に表示してもよいし、表示しなくてもよい。
【図面の簡単な説明】
【００２１】
【図１】本発明によるルミナンス条件付きベクトル表示装置の一実施例の簡略化されたブロック図である（実施例１）。
【図２】本発明によるルミナンス条件付きベクトル表示装置の他の実施例の簡略されたブロック図である（実施例２）。
【図３】本発明によるルミナンス条件付きベクトル表示装置の更に他の実施例の簡略されたブロック図である（実施例３）。
【図４】本発明によるルミナンス条件付きベクトル表示装置の別の実施例の簡略されたブロック図である（実施例４）。
【図５】本発明により分析する画像の平面図である。
【図６】図５の画像の（理想化された）カラー成分のパレード波形表示及び対応するベクトル表示の図である。
【図７】図５の画像のアンバランスのあるカラー成分のパレード波形表示及び対応するベクトル表示の図である。
【図８】図５の画像のアンバランスのあるカラー成分のパレード波形表示と、本発明による多ベクトル表示の図である。
【符号の説明】
【００２２】
　１２　デマルチプレクサ
　１４　ベクトル表示
　１６　高ルミナンス・ゲート
　１８　中ルミナンス・ゲート
　２０　低ルミナンス・ゲート
　２２　高ルミナンス・ベクトル表示
　２４　中ルミナンス・ベクトル表示
　２６　低ルミナンス・ベクトル表示
　２８　ルミナンス対カラー・マップ
　３０　プログラマブル・ルミナンス・ゲート
　３２　レンジ検出器
【図１】
2004056816.tif 000003
【図２】
2004056816.tif 000004
【図３】
2004056816.tif 000005
【図４】
2004056816.tif 000006
【図５】
2004056816.tif 000007
【図６】
2004056816.tif 000008
【図７】
2004056816.tif 000009
【図８】
2004056816.tif 000010